(57)【特許請求の範囲】
【請求項１】
サーバラック内にサーバ機器とその従属機器とを取り付けるための取付構造であって、サーバラックの前部にマウント金具を取り付け、マウント金具に前記サーバ機器とベースの前端部とを取り付け、ベースをサーバラックの奥行方向に長い平板状に形成し、サーバ機器の後側において、ベース上面に凸形状部を突設し、凸形状部の上面に複数の前記従属機器を取り付けたことを特徴とするサーバラックへの機器取付構造。
【請求項２】
前記凸形状部をベースと別体の凸形パネルで形成し、凸形パネルをベースの上面に固定し、ベースに凸形パネルの下面を開放する開口部を形成し、開口部に通したネジで前記従属機器を凸形パネルの上面に取り付けたことを特徴とする請求項１記載のサーバラックへの機器取付構造。
【請求項３】
前記マウント金具にサーバラックの奥行方向に長い長穴を形成し、長穴に通したネジで前記サーバ機器と前記ベースの前端部とを位置調節可能に取り付けたことを特徴とする請求項１または２記載のサーバラックへの機器取付構造。
【発明の詳細な説明】
【技術分野】
【０００１】
本発明は、ＥＩＡ規格のサーバラック内にサーバ機器とその従属機器を取り付けるための取付構造に関するものである。
【背景技術】
【０００２】
従来、４本の支柱から構成された箱型のラック内に電子機器を収納する技術が知られている。例えば、特許文献１には、縦方向に複数段の収納棚を設け、各収納棚の上に一つの電子機器を収納するラックが開示されている。
【０００３】
しかし、近年は、ネットワーク環境の複雑化に伴い、多種多様なネットワーク機器を収納できるサーバラックが開発されている。例えば、特許文献２には、米国電子工業会（Electronic Industries Alliance）によって定められた規格（ＥＩＡ規格）のサーバラックの内部に縦方向に複数のサーバ機器を収納する技術が提案されている。
【０００４】
ＥＩＡ規格のサーバラックでは、サーバ機器の取付寸法が幅１９インチ（約４８２．６ｍｍ）、高さ１．７５インチ（約４４．５ｍｍ、１Ｕと称される）に設定されている。ラックの支柱には、サーバ機器を取り付けるための複数の取付穴が１Ｕに相当するピッチで縦方向に設けられている。高さ１Ｕのスペースにサーバ機器を設置する場合、従来は、図９〜図１１に示すような取付構造を採用していた。
【０００５】
図９（ａ）に示すように、サーバ機器（例えば、ネットワーク環境監視装置）５１の側面にネジ穴５３を形成し、Ｌ字型のマウント金具５９をネジ５４で取り付ける。また、図９（ｂ）に示すように、サーバ機器５１の横に従属機器（例えば、警報装置であるＡｌユニット）５２を付設する場合は、この従属機器５２を別のマウント金具５８にネジ５５で取り付け、マウント金具５８をサーバ機器５１の側面に取り付ける。
【０００６】
【特許文献１】実開平４−１３１９８４号公報
【特許文献２】特開２００６−３２８４２号公報
【発明の開示】
【発明が解決しようとする課題】
【０００７】
しかし、横寸法が１９インチに指定されたサーバラックでは、高さ１Ｕのスペースに取付可能な機器が、通常、一台のサーバー機器５１と一台の従属機器５２に限られる。このため、２台以上の従属機器５２を増設する場合は、従来、図１０に示すように、横長の設置金具６０の上に複数の従属機器５２を並べ、図１１（ａ），（ｂ）に示すように、サーバ機器５１下側の１Ｕを使用し、設置金具６０をサーバラックの支柱６１に取り付けていた。このため、従来の機器取付構造によると、従属機器５２を増設する場合に、サーバラックの内部に２Ｕ（上下二段）分の設置スペースが必要になるという問題点があった。
【０００８】
そこで、本発明の目的は、サーバラックの奥行を有効に利用し、ＥＩＡ規格で定められた１Ｕスペースにサーバ機器と複数台の従属機器とを整然と設置できる機器取付構造を提供することにある。
【課題を解決するための手段】
【０００９】
上記課題を解決するために、本発明の機器取付構造は、サーバラック内にサーバ機器とその従属機器とを取り付けるための構造であって、サーバラックの前部にマウント金具を取り付け、マウント金具にサーバ機器とベースの前端部とを取り付け、ベースをサーバラックの奥行方向に長い平板状に形成し、サーバ機器の後側において、ベースの上面に凸形状部を突設し、凸形状部の上面に複数の従属機器を取り付けたことを特徴とする。
【００１０】
また、本発明の機器取付構造は、凸形状部をベースと別体の凸形パネルで形成し、凸形パネルをベースの上面に固定し、ベースに凸形パネルの下面を開放する開口部を形成し、開口部に通したネジで従属機器を凸形パネルの上面に取り付けたことを特徴とする。
【００１１】
さらに、本発明の機器取付構造は、マウント金具にサーバラックの奥行方向に長い長穴を形成し、長穴に通したネジでサーバ機器とベースの前端部とを位置調節可能に取り付けたことを特徴とする。
【発明の効果】
【００１２】
本発明の機器取付構造によれば、ベースをサーバラックの奥行方向に長く形成したので、ベースの前部にサーバ機器を取り付け、ベースの後部に複数の従属機器を取り付けることができる。ベースの後部は凸形状部によって補強されているので、ベースを撓ませることなく、複数台の従属機器をサーバ機器と同一の水平面内に保持できる。したがって、サーバラックの奥行を有効に利用し、ＥＩＡ規格で定められた１Ｕスペースにサーバ機器と複数台の従属機器とを整然と設置できるという効果がある。
【発明を実施するための最良の形態】
【００１３】
以下、本発明の実施形態を図面に基づいて詳細に説明する。図１は、サーバラックの内部にサーバ機器とその従属機器とを取り付ける構造を示す。サーバラックは、従来周知のように、四角箱形のラック本体と前扉とで構成されている。この実施形態の取付構造では、ラック本体の前部に立設された支柱（図１１ｂに示す支柱６１）に、左右一対のＬ字形マウント金具５が取り付けられる。
【００１４】
マウント金具５には、サーバ機器１（例えば、ネットワーク環境監視装置）とベース３の前端部とが取り付けられている。ベース３は金属板でサーバラックの奥行方向に長い平板状に形成されている。サーバ機器１の後側において、ベース３の後部上面には凸形状部４が突設されている。そして、凸形状部４の上面に、例えば８台の従属機器（警報装置であるＡｌユニット等）２が、横方向に４台、奥行方向に２列に並べて取り付けられている。
【００１５】
図２は、ベース３と凸形状部４の形状を示す。ベース３の前部には、サーバ機器１を収める切欠１１と、マウント金具５に取り付けられる左右一対の起立片１２とが形成されている。ベース３の後部には、凸形状部４と対応する位置に開口部１３が形成され、開口部１３の周囲に凸形状部４を組み付けるための複数本のボルト１４が立設されている。
【００１６】
凸形状部４は金属製の凸形パネルでベース３と別体にプレス成形されている。凸形状部４には、ベース３のボルト１４を通す複数のボルト挿通穴１５と、ベース３の開口部１３に重なる前後一対の窓穴１６とが形成されている。開口部１３と窓穴１６とは、凸形状部４上に取り付けられた従属機器２の下面を開放し、発熱をベース３の下方に放散させる冷却効果を発揮する。
【００１７】
図３は、凸形状部４を組み付けた状態のベース３とマウント金具５とを示す。凸形状部４は、ボルト１４に締め付けたナット１７によってベース３に固定されている。マウント金具５には、ベース３の起立片１２に接合する機器取付片１８と、サーバラックの支柱６１に取り付けられるラック取付片１９とが直角に設けられている。そして、機器取付片１８にサーバラックの奥行方向に長い上下２本の長穴７が穿設され、ラック取付片１９にラック取付穴２０が穿設されている。
【００１８】
図４は、サーバ機器１と従属機器２を取り付ける途中の状態を示す。サーバ機器１は、上記１Ｕの高さと１９インチに満たない幅とを有する直方体形状の筺体を備えている。筺体の左右両側面にはネジ穴２２が穿設され、ベース３の左右の起立片１２にネジ挿通穴２３が穿設されている。サーバ機器１及び起立片１２は、長穴７とネジ挿通穴２３を通りネジ穴２２に螺合する取付ネジ６により、マウント金具５にサーバラックの奥行方向へ位置調節可能に取り付けられる。
【００１９】
従属機器２は、ベース３の開口部１３と凸形状部４のネジ挿通穴２４に通した取付ネジ２５により、凸形状部４の上面に取り付けられる。ネジ挿通穴２４は凸形状部４を形成する凸形パネルに穿設され、ベース３の開口部１３が凸形パネルの下面を開放している。このため、取付ネジ２５の頭部をベース３の上面よりも上側に位置させ、ベース３の下側から突出部をなくし、下段のスペースに別の機器を支障なく収納することができる。
【００２０】
図５は、サーバ機器１及び従属機器２の取付完了形態を示す。この実施形態の取付構造によれば、ベース３をサーバラックの奥行方向に長く形成したので、ベース３の前部にサーバ機器１を取り付け、ベース３の後部に例えば８台の従属機器２を取り付けることができる。また、ベース３の後部は凸形状部４により補強されているので、ベース３を前端のマウント金具５で片持ち支持した取付構造であっても、ベース３の垂れ下がりを防止し、複数台の従属機器２をサーバ機器１と同じ水平面内に保持できる。
【００２１】
図６は、サーバ機器１と従属機器２とのケーブル配線形態を示す。サーバ機器１と従属機器２とをつなぐケーブル（１−Ｗｉｒｅケーブル）８はベース３の側部に配線されている。従属機器２は凸形状部４によりベース３の上面よりも高い位置に取り付けられているため、左右両側の従属機器２とベース３との間に配線スペース９が確保されている。したがって、ケーブル８を従属機器２の下に潜らせて、ベース３の上に容易に配線できる。
【００２２】
図７は、サーバ機器１の前面端子にプラグ１０を差し込む状態を示す。サーバ機器１の前面はラック前扉の近くに位置するので、双方間の距離によってはプラグ１０が前扉に干渉する可能性がある。こうした場合、取付ネジ６を緩め、長穴７に沿ってサーバ機器１とベース３をラック内方へ位置調節し、プラグ１０をマウント金具５の前面より後退させることで、プラグ１０とラック前扉との干渉を回避できる。また、奥行方向の寸法に合わせて、サーバ機器１の設置位置を長穴７の長さ範囲内で自由に設定できる利点もある。
【００２３】
図８は、１Ｕサイズ以上のサーバ機器１を取り付ける構造を示す。この場合は、サーバ機器１の縦寸法に合わせて、マウント金具５及び起立片１２の縦寸法を大きく設定する。その他の部材は図１に示した取付構造と同じ部材を使用でき、一部の寸法値を変えるだけの簡単な仕様変更で、１Ｕサイズ以上のサーバ機器１に適用可能となる。
【００２４】
なお、従属機器２の台数は図示例に限定されず、ベース３をサーバラックの奥行方向へさらに伸長させて、より多数の従属機器２を取り付けたり、ベース３を奥行方向へ縮小して、より少数の従属機器２を取り付けたりすることも可能である。また、凸形状部４は、ベース３と別体の凸形パネルに限定されず、プレス加工によりベース３と一体に形成することもできる。その他、本発明は、上記実施形態に限定されるものではなく、発明の趣旨を逸脱しない範囲で、各部の形状や構成を適宜変更して実施することも可能である。
【図面の簡単な説明】
【００２５】
【図１】本発明の一実施形態を示す機器取付構造の斜視図である。
【図２】ベースから凸形パネルを分解して示す斜視図である。
【図３】ベース及びマウント金具を示す斜視図である。
【図４】サーバ機器及び従属機器の取付途中の状態を示す斜視図である。
【図５】機器取付完了形態を示す平面及び正面の二面図である。
【図６】サーバ機器と従属機器とのケーブル配線形態を示す斜視図である。
【図７】サーバ機器にプラグを差し込む様子を示す斜視図である。
【図８】１Ｕサイズ以上のサーバ機器の取付構造を示す斜視図である。
【図９】先行技術によるサーバ機器と従属機器の取付構造を示す斜視図である。
【図１０】先行技術による複数の従属機器の取付構造を示す斜視図である。
【図１１】先行技術によるサーバ機器と従属機器の配置図である。
【符号の説明】
【００２６】
１  サーバ機器
２  従属機器
３  ベース
４  凸形状部
５  マウント金具
６  サーバ機器の取付ネジ
７  マウント金具の長穴
８  ケーブル
１２  ベースの起立片
１３  ベースの開口部
２５  従属機器の取付ネジ
６１  サーバラックの支柱
【図１】
0004904305.tif 000002
【図２】
0004904305.tif 000003
【図３】
0004904305.tif 000004
【図４】
0004904305.tif 000005
【図５】
0004904305.tif 000006
【図６】
0004904305.tif 000007
【図７】
0004904305.tif 000008
【図８】
0004904305.tif 000009
【図９】
0004904305.tif 000010
【図１０】
0004904305.tif 000011
【図１１】
0004904305.tif 000012